(57)【要約】【課題】  予告表示手段が保留されている賞抽選に係る予告情報を表示することで、興趣性を効果的に向上させることができる遊技機を提供する。【解決手段】  予告表示手段５５２は、変動させた後に停止させて表示する図柄で保留中の賞抽選の予告情報を表示すると共に、全ての保留中の賞抽選における予告情報を並べて表示し、演出表示装置５５は、賞抽選表示手段（変動表示手段）５５１及び予告表示手段５５２のうち、賞抽選表示手段（変動表示手段）５５１のみを表示させる単独表示状態と、賞抽選表示手段（変動表示手段）５５１及び予告表示手段５５２を並べて表示させる並列表示状態とに切り替え可能に構成されることを特徴とする。【選択図】  図３
2013123522.tif 000002
【特許請求の範囲】
【請求項１】
乱数値を発生し且つ該乱数値から取得した第１の取得値に基づいて、遊技者が有利な状態になる賞を付与するか否かを抽選する賞抽選手段と、
賞抽選手段で実行された賞抽選の結果を順番に表示する賞抽選表示手段を有する演出表示装置と、
賞抽選表示手段が賞抽選結果を表示する際に演出表示装置が複数種類の演出を表示可能となるように、複数種類の演出を記憶する演出記憶手段と、
乱数値を発生し且つ該乱数値から取得した第２の取得値に基づいて、演出記憶手段で記憶されている複数種類の演出のうち、演出表示装置で表示する演出を抽選する表示抽選手段とを備え、
演出表示装置は、賞抽選表示手段で結果表示を保留されている保留中の賞抽選に係る第１及び第２の取得値の少なくとも何れか一方に基づいて、該保留中の賞抽選の予告情報を表示する予告表示手段を備え、
演出記憶手段は、予告表示手段が予告情報を表示する際に複数種類の演出を表示可能となるように、複数種類の演出を記憶する遊技機であって、
予告表示手段は、変動させた後に停止させて表示する図柄で保留中の賞抽選の予告情報を表示すると共に、全ての保留中の賞抽選における予告情報を並べて表示し、
演出表示装置は、賞抽選表示手段及び予告表示手段のうち、賞抽選表示手段のみを表示させる単独表示状態と、賞抽選表示手段及び予告表示手段を並べて表示させる並列表示状態とに切り替え可能に構成されることを特徴とする遊技機。
【請求項２】
演出表示装置は、並列表示状態である際に、予告表示手段の表示領域が賞抽選表示手段の表示領域よりも大きくなるように設定されている請求項１に記載の遊技機。
【請求項３】
保留中の賞抽選における予告情報を予告表示手段で表示するか否かを抽選する予告実行抽選手段を備える請求項１又は２に記載の遊技機。
【請求項４】
予告実行抽選手段で実行された抽選が当選したことにより、賞抽選表示手段が表示抽選手段で抽選した演出を実行している際に、保留中の賞抽選における予告情報を予告表示手段で表示させる演出制御手段を備える請求項３に記載の遊技機。
【請求項５】
保留中の賞抽選における予告情報を予告表示手段で表示させる演出制御手段を備え、
予告実行抽選手段は、一対設けられると共に、個別に、保留中の賞抽選における予告情報を予告表示手段で表示するか否かを抽選するように構成され、
演出制御手段は、第１の予告実行抽選手段で実行された抽選が当選したことにより、賞抽選表示手段が表示抽選手段で抽選した演出を実行している際に、保留中の賞抽選における予告情報を予告表示手段で表示させると共に、表示抽選手段が第２の予告実行抽選手段を兼ねるべく、表示抽選手段で実行した抽選に基づいて、保留中の賞抽選における予告情報を予告表示手段で表示する演出を実行させる請求項３に記載の遊技機。
【請求項６】
演出制御手段は、賞抽選表示手段が実行している演出に基づいて、保留中の賞抽選における予告情報を予告表示手段で表示させるか否かを判定する請求項４又は５に記載の遊技機。
【請求項７】
演出制御手段は、表示抽選手段が予告実行抽選手段を兼ねるべく、表示抽選手段で実行した抽選に基づいて、保留中の賞抽選における予告情報を予告表示手段で表示する演出を実行させる請求項３に記載の遊技機。
【請求項８】
演出表示装置は、保留中の賞抽選の数を表示すべく、保留中の賞抽選の数と同数の保留図柄を表示する保留表示手段を備え、
保留表示手段は、保留図柄が予告表示手段で予告情報を表示された賞抽選であるか否かを表示すべく、予告表示手段で当該賞抽選の予告情報を表示する前後で保留図柄の表示を変更する請求項１〜７の何れか１項に記載の遊技機。
【請求項９】
保留表示手段が表示する保留図柄に基づいて、予告表示手段で保留中の賞抽選の予告情報を表示するか否かを判定する予告切替判定手段を備える請求項８に記載の遊技機。
【請求項１０】
予告表示手段で表示させる予告情報を抽選する予告表示抽選手段を備える請求項１〜９何れか１項に記載の遊技機。
【発明の詳細な説明】
【技術分野】
【０００１】
本発明は、例えばパチンコ機等の遊技機に関する。
【背景技術】
【０００２】
従来、遊技機（パチンコ機）として、始動口に遊技球が入球した際に、遊技者が有利な状態になる賞（例えば「大当たり（大入賞）」）を付与するか否かを抽選する賞抽選手段と、賞抽選結果を表示する賞抽選表示手段とを備える遊技機が知られている。そして、賞抽選表示手段が保留されている賞抽選の結果を一つずつ順番に表示することで、遊技者に賞抽選結果を報告することができる。
【０００３】
また、斯かる遊技機は、保留されている賞抽選に係る予告情報を表示する予告表示手段を備えている。これにより、通常時において、賞抽選表示手段が賞抽選結果を一つずつ順番に表示するのに対して、所定の条件が成立することで、予告表示手段が保留されている賞抽選に係る予告情報を表示する。
【先行技術文献】
【特許文献】
【０００４】
【特許文献１】特開２０１１−３０７４９号公報
【発明の概要】
【発明が解決しようとする課題】
【０００５】
ところで、特許文献１に係る遊技機は、抽選表示手段から予告表示手段に完全に切り替わって、保留されている賞抽選に係る予告情報を表示したり、保留されている賞抽選のうち、所定数の賞抽選に係る予告情報を表示したりするものである。したがって、興趣性を十分に向上させることができないものであった。
【０００６】
よって、本発明は、斯かる事情に鑑み、予告表示手段が保留されている賞抽選に係る予告情報を表示することで、興趣性を効果的に向上させることができる遊技機を提供することを課題とする。
【課題を解決するための手段】
【０００７】
本発明に係る遊技機は、乱数値を発生し且つ該乱数値から取得した第１の取得値に基づいて、遊技者が有利な状態になる賞を付与するか否かを抽選する賞抽選手段と、賞抽選手段で実行された賞抽選の結果を順番に表示する賞抽選表示手段を有する演出表示装置と、賞抽選表示手段が賞抽選結果を表示する際に演出表示装置が複数種類の演出を表示可能となるように、複数種類の演出を記憶する演出記憶手段と、乱数値を発生し且つ該乱数値から取得した第２の取得値に基づいて、演出記憶手段で記憶されている複数種類の演出のうち、演出表示装置で表示する演出を抽選する表示抽選手段とを備え、演出表示装置は、賞抽選表示手段で結果表示を保留されている保留中の賞抽選に係る第１及び第２の取得値の少なくとも何れか一方に基づいて、該保留中の賞抽選の予告情報を表示する予告表示手段を備え、演出記憶手段は、予告表示手段が予告情報を表示する際に複数種類の演出を表示可能となるように、複数種類の演出を記憶する遊技機であって、予告表示手段は、変動させた後に停止させて表示する図柄で保留中の賞抽選の予告情報を表示すると共に、全ての保留中の賞抽選における予告情報を並べて表示し、演出表示装置は、賞抽選表示手段及び予告表示手段のうち、賞抽選表示手段のみを表示させる単独表示状態と、賞抽選表示手段及び予告表示手段を並べて表示させる並列表示状態とに切り替え可能に構成されることを特徴とする。
【０００８】
本発明に係る遊技機によれば、予告表示手段が、変動させた後に停止させて表示する図柄で保留中の賞抽選の予告情報を表示する。したがって、遊技者が変動して停止するまで予告表示手段の図柄に集中するため、遊技者の意識を予告表示手段に集中させることが可能となる。また、予告表示手段が全ての保留中の賞抽選における予告情報を並べて表示する。したがって、遊技者は、保留中の全ての賞抽選における予告情報を一度に把握することができる。
【０００９】
しかも、演出表示装置には、賞抽選表示手段と予告表示手段とが設けられている。そして、演出表示装置は、賞抽選表示手段及び予告表示手段のうち、賞抽選表示手段のみを表示させる単独表示状態と、賞抽選表示手段及び予告表示手段を並べて表示させる並列表示状態とに切り替わる。
【００１０】
これにより、単独表示状態において、賞抽選手段で実行された賞抽選の結果が賞抽選表示手段で順番に表示される一方、並列表示状態において、賞抽選手段で実行された賞抽選の結果が賞抽選表示手段で表示されると共に、保留中の賞抽選における予告情報が予告表示手段で表示される。
【００１１】
したがって、遊技者が賞抽選結果や保留中の賞抽選における予告情報を把握するのに演出表示装置のみを確認していればよいため、遊技者の意識を演出表示装置に集中させることができる。しかも、保留中の賞抽選における予告情報を表示する際に、突然、予告表示手段が表示することになるため、興趣性を効果的に向上させることができる。
【００１２】
また、本発明に係る遊技機においては、演出表示装置は、並列表示状態である際に、予告表示手段の表示領域が賞抽選表示手段の表示領域よりも大きくなるように設定されてもよい。
【００１３】
斯かる構成の遊技機によれば、演出表示装置が並列表示状態である際に、予告表示手段の表示領域が賞抽選表示手段の表示領域よりも大きくなる。したがって、予告表示手段が保留中の賞抽選における予告情報を表示する際に、遊技者の意識を予告表示手段に集中させることが可能となる。
【００１４】
また、本発明に係る遊技機においては、保留中の賞抽選における予告情報を予告表示手段で表示するか否かを抽選する予告実行抽選手段を備えてもよい。
【００１５】
本発明に係る遊技機によれば、予告実行抽選手段が、保留中の賞抽選における予告情報を予告表示手段で表示するか否かを抽選するため、予告実行抽選手段が実行する抽選で当選すると、予告表示手段が、保留中の賞抽選における予告情報を表示する。したがって、例えば、上記特許文献１に係る遊技機のように、遊技球が始動口に入球しても、保留数が加算されないというような損失を生じることなく、保留中の賞抽選における予告情報を予告表示手段で表示できるため、興趣性を効果的に向上させることができる。
【００１６】
また、本発明に係る遊技機においては、予告実行抽選手段で実行された抽選が当選したことにより、賞抽選表示手段が表示抽選手段で抽選した演出を実行している際に、保留中の賞抽選における予告情報を予告表示手段で表示させる演出制御手段を備えてもよい。
【００１７】
斯かる構成の遊技機によれば、予告実行抽選手段で実行された抽選が当選したことにより、演出制御手段は、賞抽選表示手段が表示抽選手段で抽選した演出を実行している際に、保留中の賞抽選における予告情報を予告表示手段で表示させる。したがって、予告実行抽選手段の抽選で当選する確率を適宜設定することにより、保留中の賞抽選における予告情報を予告表示手段で表示させる頻度を調整することができる。
【００１８】
また、本発明に係る遊技機においては、保留中の賞抽選における予告情報を予告表示手段で表示させる演出制御手段を備え、予告実行抽選手段は、一対設けられると共に、個別に、保留中の賞抽選における予告情報を予告表示手段で表示するか否かを抽選するように構成され、演出制御手段は、第１の予告実行抽選手段で実行された抽選が当選したことにより、賞抽選表示手段が表示抽選手段で抽選した演出を実行している際に、保留中の賞抽選における予告情報を予告表示手段で表示させると共に、表示抽選手段が第２の予告実行抽選手段を兼ねるべく、表示抽選手段で実行した抽選に基づいて、保留中の賞抽選における予告情報を予告表示手段で表示する演出を実行させてもよい。
【００１９】
斯かる構成の遊技機によれば、予告実行抽選手段は、一対設けられると共に、個別に、保留中の賞抽選における予告情報を予告表示手段で表示するか否かを抽選するように構成されている。そして、第１の予告実行抽選手段で実行された抽選が当選したことにより、演出制御手段は、賞抽選表示手段が表示抽選手段で抽選した演出を実行している際に、保留中の賞抽選における予告情報を予告表示手段で表示させる。
【００２０】
さらには、演出制御手段は、表示抽選手段で実行した抽選に基づいて、保留中の賞抽選における予告情報を予告表示手段で表示する演出を実行させる。これにより、表示抽選手段の抽選で斯かる演出が当選することで、保留中の賞抽選における予告情報を予告表示手段で表示することになるため、表示抽選手段が第２の予告実行抽選手段を兼ねていることになる。
【００２１】
したがって、第１の予告実行抽選手段の抽選で当選する確率や、表示抽選手段（第２の予告実行抽選手段）の抽選において、保留中の賞抽選における予告情報を予告表示手段で表示させる演出に当選する確率を適宜設定することにより、保留中の賞抽選における予告情報を予告表示手段で表示させる頻度を調整することができる。しかも、予告表示手段で予告情報を表示するか否かの抽選を一対の予告実行抽選手段が個別に行うため、当該抽選に当選する確率が高まり、遊技者に期待感を与えることができる。
【００２２】
また、本発明に係る遊技機においては、演出制御手段は、賞抽選表示手段が実行している演出に基づいて、保留中の賞抽選における予告情報を予告表示手段で表示させるか否かを判定してもよい。
【００２３】
斯かる構成の遊技機によれば、演出制御手段は、保留中の賞抽選における予告情報を予告表示手段で表示させるか否かを判定する。そして、演出制御手段は、賞抽選表示手段が実行している演出に基づいて、例えば、賞抽選表示手段が実行している演出の内容（演出時間）や、演出の進捗状況（演出開始からの経過時間、演出終了までの残り時間）等に基づいて、判定する。したがって、予告表示手段で予告情報を効果的に表示することができる。
【００２４】
また、本発明に係る遊技機においては、演出制御手段は、表示抽選手段が予告実行抽選手段を兼ねるべく、表示抽選手段で実行した抽選に基づいて、保留中の賞抽選における予告情報を予告表示手段で表示する演出を実行させてもよい。
【００２５】
斯かる構成の遊技機によれば、演出制御手段は、表示抽選手段で実行した抽選に基づいて、保留中の賞抽選における予告情報を予告表示手段で表示する演出を実行させる。これにより、表示抽選手段の抽選で斯かる演出が当選することで、保留中の賞抽選における予告情報を予告表示手段で表示することになるため、表示抽選手段が予告実行抽選手段を兼ねていることになる。
【００２６】
したがって、表示抽選手段（予告実行抽選手段）の抽選において、予告表示手段が保留中の賞抽選における予告情報を表示する演出に当選する確率を適宜設定することにより、保留中の賞抽選における予告情報を予告表示手段で表示させる頻度を調整することができる。
【００２７】
また、本発明に係る遊技機においては、演出表示装置は、保留中の賞抽選の数を表示すべく、保留中の賞抽選の数と同数の保留図柄を表示する保留表示手段を備え、保留表示手段は、保留図柄が予告表示手段で予告情報を表示された賞抽選であるか否かを表示すべく、予告表示手段で当該賞抽選の予告情報を表示する前後で保留図柄の表示を変更してもよい。
【００２８】
斯かる構成の遊技機によれば、演出表示装置には、保留中の賞抽選の数と同数の保留図柄を表示する保留表示手段が設けられているため、保留中の賞抽選の数を表示することができる。そして、保留表示手段が、予告表示手段で賞抽選の予告情報を表示する前後で保留図柄の表示を変更するため、保留図柄が予告表示手段で予告情報を表示された賞抽選であるか否かを表示する。したがって、保留中の賞抽選の数や、保留図柄が予告情報を既に表示した賞抽選であるか否かを、遊技者に認識させることができる。
【００２９】
また、本発明に係る遊技機においては、保留表示手段が表示する保留図柄に基づいて、予告表示手段で保留中の賞抽選の予告情報を表示するか否かを判定する予告切替判定手段を備えてもよい。
【００３０】
斯かる構成の遊技機によれば、予告切替判定手段は、保留表示手段が表示する保留図柄に基づいて、例えば、予告情報を既に表示した保留図柄があるか否か等に基づいて、予告表示手段で保留中の賞抽選の予告情報を表示するか否かを判定する。したがって、予告表示手段で予告情報を効果的に表示することができる。
【００３１】
また、本発明に係る遊技機においては、予告表示手段で表示させる予告情報を抽選する予告表示抽選手段を備えてもよい。
【００３２】
斯かる構成の遊技機によれば、予告表示抽選手段が、予告表示手段で表示させる予告情報を抽選する。したがって、例えば、賞抽選表示手段で表示される結果が同じである賞抽選であっても、予告表示手段で表示する予告情報を変えることもできるため、興趣性を効果的に向上させることができる。
【発明の効果】
【００３３】
以上の如く、本発明に係る遊技機によれば、予告表示手段が保留されている賞抽選に係る予告情報を表示することで、興趣性を効果的に向上させることができるという優れた効果を奏する。
【図面の簡単な説明】
【００３４】
【図１】本発明の一実施形態に係る遊技機の全体斜視図を示す。
【図２】同実施形態に係る遊技機の要部正面図を示す。
【図３】同実施形態に係る遊技機の演出表示装置の全体正面図であって、（ａ）は予告前の単独表示状態の図、（ｂ）は並列表示状態の図、（ｃ）は予告後の単独表示状態の図を示す。
【図４】同実施形態に係る遊技機の制御ブロック図を示す。
【図５】同実施形態に係る遊技機の制御概略図を示す。
【図６】同実施形態に係る遊技機の制御概略図を示す。
【図７】同実施形態に係る遊技機の主制御部における始動口入球処理フローチャートを示す。
【図８】同実施形態に係る遊技機の副制御部における始動口入球処理フローチャートを示す。
【図９】同実施形態に係る遊技機の主制御部における保留球処理フローチャートを示す。
【図１０】同実施形態に係る遊技機の副制御部における保留球処理フローチャートを示す。
【図１１】同実施形態に係る遊技機の演出実行フローチャートを示す。
【図１２】同実施形態に係る遊技機の変動演出テーブルであって、（ａ）は特図抽選が落選している場合のテーブル、（ｂ）は特図抽選が当選している場合のテーブルを示す。
【図１３】同実施形態に係る遊技機の予告強制実行フローチャートを示す。
【図１４】同実施形態に係る遊技機の予告演出を説明する図であって、（ａ）は予告演出テーブルを示し、（ｂ）は予告演出表示内容を示す。
【図１５】同実施形態に係る遊技機の予告切替実行フローチャートを示す。
【図１６】同実施形態に係る遊技機の変動演出を説明する図であって、（ａ）及び（ｂ）はそれぞれタイムチャートを示す。
【図１７】同実施形態に係る遊技機の変動演出を説明する図であって、（ａ）及び（ｂ）はそれぞれタイムチャートを示す。
【図１８】同実施形態に係る遊技機の予告演出を説明する図であって、タイムチャートを示す。
【図１９】同実施形態に係る遊技機の予告強制実行モードにおける演出を説明する図であって、予告演出実行時のタイムチャートを示す。
【図２０】同実施形態に係る遊技機の予告切替実行モードにおける演出を説明する図であって、予告演出に切り替え可能なタイミングを説明するタイムチャート示す。
【図２１】同実施形態に係る遊技機の予告切替実行モードにおける演出を説明する図であって、予告演出に切り替え可能なタイミングを説明するタイムチャート示す。
【図２２】同実施形態に係る遊技機の予告切替実行モードにおける演出を説明する図であって、（ａ）及び（ｂ）はそれぞれ予告演出に切り替え可能なタイミングを説明するタイムチャート示す。
【図２３】同実施形態に係る遊技機の演出表示を説明する図であって、（ａ）〜（ｃ）はそれぞれ演出表示装置の正面図を示す。
【図２４】同実施形態に係る遊技機の演出表示を説明する図であって、（ａ）〜（ｃ）はそれぞれ演出表示装置の正面図を示す。
【図２５】同実施形態に係る遊技機の演出表示を説明する図であって、（ａ）〜（ｃ）はそれぞれ演出表示装置の正面図を示す。
【図２６】同実施形態に係る遊技機の演出表示を説明する図であって、（ａ）〜（ｃ）はそれぞれ演出表示装置の正面図を示す。
【図２７】同実施形態に係る遊技機の演出表示を説明する図であって、（ａ）〜（ｃ）はそれぞれ演出表示装置の正面図を示す。
【図２８】本発明の他の実施形態に係る遊技機の演出表示を説明する図であって、（ａ）及び（ｂ）はそれぞれ演出表示装置の正面図を示す。
【発明を実施するための形態】
【００３５】
以下、本発明に係る遊技機における一実施形態について、図１〜図２７を参酌して説明する。
【００３６】
本実施形態に係る遊技機は、図１〜図４に示すように、矩形状に枠組みされた外枠１と、外枠１に開閉自在に取り付けられる遊技盤保持枠２と、遊技盤保持枠２の外側（前方側）に配置され、遊技盤保持枠２に開閉自在に取り付けられる扉３と、扉３の内側（後方側）に配置され、遊技盤保持枠２に保持される遊技盤４とを備える。なお、扉３には、内部の遊技盤４を視認できるように、透明板（例えばガラス板等）からなる窓部３ａが設けられている。
【００３７】
そして、遊技機は、遊技盤４に向けて遊技球を発射させるための発射装置５を操作するためのハンドル６と、発射装置５に供給するための遊技球を貯留する受皿７と、電飾用のランプ８，…と、効果音を発生させるスピーカ９，９とを備える。なお、発射装置５は、ハンドル６が操作されたことをハンドル検出部６ａが検出することにより、遊技球を発射する。さらに、遊技機は、各部を制御すべく、主制御部１１０及び副制御部１２０を有する制御部１０と、所定の条件で遊技球を払い出す払出装置１１とを備える。
【００３８】
遊技盤４は、発射装置５から発射された遊技球を上部に導くための一対のレール１２，１２を備える。そして、遊技盤４は、遊技球が通過可能なゲート２１と、遊技球が入球可能な複数の入球口２２〜２４と、遊技球を機内に回収するための回収口２５と、遊技球がゲート２１及び各入球口２２〜２４に入球したことをそれぞれ検出する複数の検出部３１〜３４と、所定の入球口２２，２３を開閉させる複数の開閉手段４１，４２とを備える。
【００３９】
また、遊技盤４は、所定の情報を表示する複数の表示装置５１〜５５を備える。なお、遊技盤４には、多数の遊技釘（図示及び採番していない）が打設されており、遊技領域を転動する遊技球、即ち、上部に導かれた遊技球が、複数の遊技釘に衝突を繰り返しつつ、又は遊技釘間を通って下方に落下する。
【００４０】
複数の入球口２２〜２４には、遊技球が入球することにより、払出装置１１が賞球を払い出すと共に所定の条件下で制御部１０での抽選（以下、「特図抽選」という）に用いる取得値（発生した乱数値から取得する値）を取得する始動口２２と、遊技球が入球することにより、払出装置１１が賞球を払い出す大入賞口２３と、遊技球が入球することにより、払出装置１１が賞球を払い出す一般入賞口２４，２４とが設けられている。
【００４１】
なお、大入賞口２３に入球した際に払い出される賞球数は、各一般入賞口２４に入球した際に払い出される賞球数よりも多い。また、遊技球がゲート２１を通過したときには、払出装置１１による賞球の払い出しはないが、所定の条件下で制御部１０での抽選（以下、「普図抽選」という）に用いる取得値（発生した乱数値から取得する値）を取得する。
【００４２】
複数の検出部３１〜３４には、遊技球がゲート２１を通過したことを検出するゲート検出部３１と、遊技球が始動口２２に入球したことを検出する始動口検出部３２と、遊技球が大入賞口２３に入球したことを検出する大入賞口検出部３３と、遊技球が一般入賞口２４，２４に入球したことを検出する一般入賞口検出部３４，３４とが設けられている。
【００４３】
複数の開閉手段４１，４２には、制御部１０が行う普図抽選で当選した際に、所定の時間が経過するまで又は所定数の遊技球が入球するまで始動口２２を開放する始動口開閉手段４１と、制御部１０が行う特図抽選で当選した際に、所定の時間が経過するまで又は所定数の遊技球が入球するまで大入賞口２３を開放する大入賞口開閉手段４２とが設けられている。
【００４４】
複数の表示装置５１〜５５には、制御部１０が行った特図抽選の結果を表示する特別図柄表示装置５１と、特別図柄表示装置５１で表示されるべき特図抽選の結果であって未だ制御部１０での実行が保留されている抽選、即ち、保留中の特図抽選の数（以下、「特図保留数」という）を表示する特図保留表示装置５２とが設けられている。
【００４５】
また、複数の表示装置５１〜５５には、制御部１０が行った普図抽選の結果を表示する普通図柄表示装置５３と、普通図柄表示装置５３で表示されるべき普図抽選の結果であって未だ制御部１０での実行が保留されている抽選、即ち、保留中の普図抽選の数（以下、「普図保留数」という）を表示する普図保留表示装置５４と、特別図柄表示装置５１と連動して演出表示する演出表示装置５５とが設けられている。
【００４６】
特別図柄表示装置５１及び普通図柄表示装置５３は、本実施形態において、１桁の７セグメント表示器としており、図柄を所定時間変動し、最終的に図柄を停止することで、各抽選の結果を表す図柄を表示するように構成されている。また、特図保留表示装置５２及び普図保留表示装置５４は、本実施形態において、それぞれ４つのＬＥＤランプとしており、保留が増えた場合には点灯し、保留が減った場合には消灯することで、保留数と同数のＬＥＤランプを点灯して表示するように構成されている。
【００４７】
演出表示装置５５は、制御部１０が行った特図抽選の結果を順番に表示する変動表示手段（本発明に係る「賞抽選表示手段」）５５１と、変動表示手段５５１で特図抽選の結果の表示を保留されている保留中の特図抽選に係る取得値に基づく予告情報を表示する予告表示手段５５２と、保留中の特図抽選の数を表示する保留表示手段５５３を備える。そして、演出表示装置５５は、本実施形態において、液晶ディスプレイとしている。
【００４８】
また、演出表示装置５５は、図３（ａ）及び（ｃ）に示すように、変動表示手段５５１のみを表示させる単独表示状態と、図３（ｂ）に示すように、変動表示手段５５１及び予告表示手段５５２を並べて表示させる並列表示状態とに切り替え可能に構成されている。さらに、演出表示装置５５は、図３（ｂ）に示すように、並列表示状態である際に、予告表示手段５５２の表示領域が変動表示手段５５１の表示領域よりも大きくなるように設定されている。
【００４９】
変動表示手段５５１は、特別図柄表示装置５１と同期するように、図柄を所定時間変動し、最終的に図柄を停止することで、所定の図柄を表示するように構成されている。そして、変動表示手段５５１は、変動させた後に停止させて表示する図柄で、特図抽選の結果を演出表示している。
【００５０】
予告表示手段５５２は、全ての保留中の特図抽選における予告情報を並べて表示するように構成されている。そして、予告表示手段５５２は、変動させた後に停止させて表示する図柄で保留中の特図抽選の予告情報を演出表示する。
【００５１】
保留表示手段５５３は、保留中の特図抽選の数を表示すべく、保留中の特図抽選の数と同数の保留図柄を表示する。そして、保留表示手段５５３は、保留図柄が予告表示手段５５２で予告情報を表示された特図抽選であるか否かを表示すべく、予告表示手段５５２で当該特図抽選の予告情報を表示する前（図３（ａ）及び（ｂ）参照）と後（図３（ｃ）参照）とで保留図柄の表示を変更する。
【００５２】
主制御部１１０は、遊技制御を行うＣＰＵ１１０ａと、ＣＰＵ１１０ａで行う遊技プログラムが記憶されているＲＯＭ１１０ｂと、データの読み書きに用いられるＲＡＭ１１０ｃとを備える。また、主制御部１１０は、入力信号が入力される入力ポート１１０ｄと、出力信号を出力する出力ポート１１０ｅとを備える。
【００５３】
主制御部１１０の入力ポート１１０ｄには、ハンドル検出部６ａと、ゲート検出部３１と、始動口検出部３２と、大入賞口検出部３３と、一般入賞口検出部３４，３４とが接続されている。また、主制御部１１０の出力ポート１１０ｅには、発射装置５と、払出装置１１と、始動口開閉手段４１と、大入賞口開閉手段４２と、特別図柄表示装置５１と、特図保留表示装置５２と、普通図柄表示装置５３と、普図保留表示装置５４と、副制御部１２０とが接続されている。
【００５４】
副制御部１２０は、各種演算を行うＣＰＵ１２０ａと、ＣＰＵ１２０ａで行う演出プログラムが記憶されているＲＯＭ１２０ｂと、データの読み書きに用いられるＲＡＭ１２０ｃとを備える。また、副制御部１２０は、入力信号が入力される入力ポート１２０ｄと、出力信号を出力する出力ポート１２０ｅとを備える。
【００５５】
副制御部１２０の入力ポート１２０ｄには、主制御部１１０の出力ポート１１０ｅが接続されている。また、副制御部１２０の出力ポート１２０ｅには、ランプ７と、スピーカ８と、演出表示装置５５とが接続されている。
【００５６】
本実施形態に係る遊技機のハード構成については以上の通りであり、次に、本実施形態に係る遊技機のソフト構成について、図４〜図６を参酌して説明する。
【００５７】
主制御部１１０は、始動口検出部３２が遊技球を検出することにより、特図抽選を実行する特図抽選手段（本発明に係る「賞抽選手段」）１１１を備える。そして、主制御部１１０は、特図抽選の結果を特別図柄表示装置５１に表示すべく、特別図柄表示装置５１に表示させる内容を抽選する特図表示抽選手段（本発明に係る「表示抽選手段」）１１２を備える。
【００５８】
また、主制御部１１０は、ゲート検出部３１が遊技球を検出することにより、普図抽選を実行する普図抽選手段１１３を備える。さらに、主制御部１１０は、普図抽選の結果を普通図柄表示装置５３に表示すべく、普通図柄表示装置５３に表示させる内容を抽選する普図表示抽選手段１１４を備える。
【００５９】
なお、本実施形態において、特図抽選は、遊技者が有利な状態になる賞（具体的には「大当たり（大入賞）」）を付与するか否か、即ち、大入賞口２３を開放するか否かについての抽選としている。また、本実施形態において、普図抽選は、始動口２２を開放するか否かについての抽選としている。
【００６０】
特図抽選手段１１１は、特図抽選に用いる乱数値（例えば、０〜６５５３５）を発生させる乱数発生部１１１ａと、乱数発生部１１１ａから取得した第１の取得値を記憶する乱数記憶部１１１ｂと、第１の取得値との比較により特図抽選にて当選と判定すべき遊技状態毎の当選値テーブルを記憶している情報記憶部１１１ｃと、第１の取得値、遊技状態及び情報記憶部１１１ｃの当選値テーブルに基づいて、特図抽選の結果を判定する抽選判定部１１１ｄとを備える。
【００６１】
特図表示抽選手段１１２は、特図表示抽選に用いる乱数値（例えば、０〜６５５３５）を発生させる乱数発生部１１２ａと、乱数発生部１１２ｂから取得した第２の取得値を記憶する乱数記憶部１１２ｂとを備える。
【００６２】
また、特図表示抽選手段１１２は、第２の取得値、特図抽選結果、特図保留数及び遊技状態に基づいて、特別図柄表示装置５１での表示内容（図柄変動時間や変動表示図柄）を決定するための比較テーブルを記憶している情報記憶部１１２ｃと、第２の取得値、特図抽選結果、特図保留数、遊技状態及び情報記憶部１１２ｃの比較テーブルに基づいて、特図表示抽選の結果を判定する抽選判定部１１２ｄとを備える。
【００６３】
斯かる特図抽選手段１１１及び特図表示抽選手段１１２によれば、以下のような制御を実行する。まず、始動口検出部３２からの信号が入力され、そのときの特図保留数が上限値未満である場合に、特図抽選手段１１１は、乱数発生部１１１ａから取得した第１の取得値を乱数記憶部１１１ｂで記憶する（特図保留数が加算される）と共に、特図表示抽選手段１１２は、乱数発生部１１２ａから取得した第２の取得値を乱数記憶部１１２ｂで記憶する。
【００６４】
そして、特図抽選手段１１１は、第１の取得値、遊技状態及び情報記憶部１１１ｃの当選値テーブルに基づいて、抽選判定部１１１ｄで特図抽選の結果を判定すると共に、特図表示抽選手段１１２は、第２の取得値、特図抽選結果、特図保留数、遊技状態及び情報記憶部１１２ｃの比較テーブルに基づいて、抽選判定部１１２ｄで特図表示抽選の結果を判定する。
【００６５】
このとき、特図抽選手段１１１は、乱数記憶部１１１ｂに記憶された第１の取得値の順番（先入れ先出し）で、特図抽選の結果を判定すると共に、特図表示抽選手段１１２は、乱数記憶部１１２ｂに記憶された第２の取得値の順番（先入れ先出し）で、特図表示抽選の結果を判定する。したがって、始動口検出部３２が遊技球を検出した際に記憶された第１及び第２の取得値は、互いに関連付けられている（リンクされている）ことになる。
【００６６】
そして、主制御部１１０は、特図表示抽選手段１１２が抽選した表示内容（図柄変動時間や変動表示図柄）を特別図柄表示装置５１で表示させる。なお、特図表示抽選手段１１２は、特図抽選に当選している際には、当選したことを表示する図柄（例えば「３」や「７」）を抽選し、特図抽選が落選している際には、落選したことを表示する図柄（例えば「−(バー)」）を抽選するようになっている。
【００６７】
したがって、特別図柄表示装置５１は、特図抽選の結果を順番に表示していることになる。なお、後述するが、演出表示装置５５も、変動表示手段５５１で特図抽選の結果を順番に表示している。また、特図抽選手段１１１が特図抽選処理を終了すると共に、特図表示抽選手段１１２が特図表示抽選処理を終了すると、抽選に用いられた各取得値が各抽選手段１１１，１１２の乱数記憶部１１１ｂ，１１２ｂから消去される（特図保留数が減算される）。
【００６８】
その後、各抽選手段１１１，１１２の乱数記憶部１１１ｂ，１１２ｂに記憶されている取得値のうち、一番過去に記憶された取得値について、各抽選手段１１１，１１２が上記の抽選処理を繰り返し行う。なお、各抽選手段１１１，１１２の乱数記憶部１１１ｂ，１１２ｂが最大４つの取得値を記憶可能に構成されているため、特図保留数の上限値は４個に設定されていることになる。
【００６９】
なお、主制御部１１０は、特図抽選手段１１１が第１の取得値を取得した際に、第１の取得値に基づいて、副制御部１２０に特図抽選の予告情報を送信する共に、特図抽選手段１１１が特図抽選の結果を判定した際に、第１の取得値及び遊技状態に基づいて、副制御部１２０に特図抽選の抽選結果を送信する。したがって、特図抽選の予告情報は、特図抽選の結果で考慮される事項、即ち、特図抽選の判定時の遊技状態が考慮されていないため、特図抽選の抽選結果と相違することもある。
【００７０】
また、主制御部１１０は、特図表示抽選手段１１２が第２の取得値を取得した際に、第２の取得値及び特図抽選の予告情報に基づいて、副制御部１２０に特図表示抽選の予告情報を送信する共に、特図表示抽選手段１１２が特図表示抽選の結果を判定した際に、第２の取得値、特図抽選の抽選結果、特図保留数及び遊技状態に基づいて、副制御部１２０に特図表示抽選の抽選結果を送信する。
【００７１】
したがって、特図表示抽選の予告情報は、特図表示抽選の結果で考慮される事項、即ち、特図抽選の抽選結果、特図表示抽選の判定時の特図保留数及び遊技状態が考慮されていないため、特図表示抽選の抽選結果と相違することもある。
【００７２】
普図抽選手段１１３は、普図抽選に用いる乱数値（例えば、０〜６５５３５）を発生させる乱数発生部１１３ａと、乱数発生部１１３ａから取得した取得値を記憶する乱数記憶部１１３ｂと、当該取得値との比較により普図抽選にて当選と判定すべき遊技状態毎の当選値テーブルを記憶している情報記憶部１１３ｃと、当該取得値、遊技状態及び情報記憶部１１３ｃの当選値テーブルに基づいて、普図抽選の結果を判定する抽選判定部１１３ｄとを備える。
【００７３】
普図表示抽選手段１１４は、普図表示抽選に用いる乱数値（例えば、０〜６５５３５）を発生させる乱数発生部１１４ａと、乱数発生部１１４ａから取得した取得値を記憶する乱数記憶部１１４ｂと、当該取得値及び遊技状態に基づいて、普通図柄表示装置５３での表示内容（図柄変動時間や変動表示図柄）を決定するための比較テーブルを記憶している情報記憶部１１４ｃと、当該取得値、遊技状態及び情報記憶部１１４ｃの比較テーブルとに基づいて、普図表示抽選の結果を判定する抽選判定部１１４ｄとを備える。
【００７４】
斯かる普図抽選手段１１３及び普図表示抽選手段１１４によれば、以下の制御を実行する。まず、ゲート検出部３１からの信号が入力され、そのときの普図保留数が上限値未満である場合に、普図抽選手段１１３は、乱数発生部１１３ａから取得した一方の取得値を乱数記憶部１１３ｂで記憶する（普図保留数が加算される）と共に、普図表示抽選手段１１４は、乱数発生部１１４ａから取得した他方の取得値を乱数記憶部１１４ｂで記憶する。
【００７５】
そして、普図抽選手段１１３は、一方の取得値、遊技状態及び情報記憶部１１３ｃの当選値テーブルに基づいて、抽選判定部１１３ｄで普図抽選の結果を判定すると共に、普図表示抽選手段１１４は、他方の取得値、遊技状態及び情報記憶部１１４ｃの比較テーブルとに基づいて、抽選判定部１１４ｄで普図表示抽選の結果を判定する。
【００７６】
このとき、普図抽選手段１１３は、乱数記憶部１１３ｂに記憶された一方の取得値の順番（先入れ先出し）で、普図抽選の結果を判定すると共に、普図表示抽選手段１１４は、乱数記憶部１１４ｂに記憶された他方の取得値の順番（先入れ先出し）で、普図表示抽選の結果を判定する。したがって、ゲート検出部３１が遊技球を検出した際に記憶された一方及び他方の取得値は、互いに関連付けられている（リンクされている）ことになる。
【００７７】
そして、主制御部１１０は、普図表示抽選手段１１４が抽選した表示内容（図柄変動時間や変動表示図柄）を普通図柄表示装置５３で表示させる。なお、普図表示抽選手段１１４は、普図抽選に当選している際には、当選したことを表示する図柄（例えば「３」や「７」）を抽選し、普図抽選が落選している際には、落選したことを表示する図柄（例えば「−(バー)」）を抽選するようになっている。
【００７８】
したがって、普通図柄表示装置５３は、普図抽選の結果を順番に表示していることになる。また、普図抽選手段１１３が普図抽選処理を終了すると共に、普図表示抽選手段１１４が普図表示抽選処理を終了すると、抽選に用いられた各取得値が各抽選手段１１３，１１４の乱数記憶部１１３ｂ，１１４ｂから消去される（普図保留数が減算される）。
【００７９】
その後、各抽選手段１１３，１１４の乱数記憶部１１３ｂ，１１４ｂに記憶されている取得値のうち、一番過去に記憶された取得値について、各抽選手段１１３，１１４が上記の抽選処理を繰り返し行う。なお、各抽選手段１１３，１１４の乱数記憶部１１３ｂ，１１４ｂが最大４つの取得値を記憶可能に構成されているため、普図保留数の上限値は４個に設定されていることになる。
【００８０】
副制御部１２０は、主制御部１１０から送信された予告情報を記憶する予告情報記憶手段１２１と、主制御部１１０から送信された演出情報を記憶する演出情報記憶手段１２２とを備える。
【００８１】
そして、副制御部１２０は、主制御部１１０から送信された各種情報に基づき、保留中の特図抽選における予告情報を予告表示手段５５２で表示するか否かを抽選（以下、「予告実行抽選」という）する予告実行抽選手段（本発明に係る「（第１の）予告実行抽選手段」）１２３と、予告表示手段５５２で表示させる予告情報を抽選（以下、「予告表示抽選」という）する予告表示抽選手段１２４とを備える。
【００８２】
また、副制御部１２０は、各抽選手段１２３，１２４の抽選結果を記憶する抽選結果記憶手段１２５を備える。さらに、副制御部１２０は、演出表示装置５５で実行する演出を記憶する演出記憶手段１２６と、演出表示装置５５で実行される演出を制御する演出制御手段１２７とを備える。
【００８３】
予告情報記憶手段１２１は、主制御部１１０から送信された特図抽選における予告情報を記憶する特図予告情報記憶部１２１ａと、主制御部１０から送信された特図表示抽選における予告情報を記憶する特図表示予告情報記憶部１２１ｂとを備える。なお、保留表示手段５５３が表示する保留図柄の数（特図保留数）は、特図表示予告情報記憶部１２１ｂが記憶している予告情報の数に基づいて、表示されている。
【００８４】
演出情報記憶手段１２２は、主制御部１１０から送信された特図抽選の抽選結果情報を記憶する特図抽選結果記憶部１２２ａを備える。また、演出情報記憶手段１２２は、主制御部１１０から送信された特図表示抽選の抽選結果情報を記憶する特図表示抽選結果記憶部１２２ｂを備える。
【００８５】
予告実行抽選手段１２３は、予告実行抽選に用いる乱数値（例えば、０〜６５５３５）を発生させる乱数発生部１２３ａと、乱数値から取得した第３の取得値を記憶する乱数記憶部１２３ｂと、第３の取得値との比較により抽選結果を判定するための比較テーブルを記憶している情報記憶部１２３ｃと、第３の取得値と情報記憶部１２３ｃの比較テーブルとに基づいて結果を判定する抽選判定部１２３ｄとを備える。
【００８６】
予告表示抽選手段１２４は、予告表示抽選に用いる乱数値（例えば、０〜６５５３５）を発生させる乱数発生部１２４ａと、乱数発生部１２４ｂから取得した第４の取得値を記憶する乱数記憶部１２４ｂとを備える。
【００８７】
また、予告表示抽選手段１２４は、第４の取得値及び特図表示予告情報記憶部１２１ｂの予告情報に基づいて、予告表示手段５５２での表示内容を決定するための比較テーブルを記憶している情報記憶部１２４ｃと、第４の取得値、特図表示予告情報記憶部１２１ｂの予告情報及び情報記憶部１２４ｃの比較テーブルに基づいて、予告表示抽選の結果を判定する抽選判定部１２４ｄとを備える。
【００８８】
抽選結果記憶手段１２５は、予告実行抽選手段１２３で実行された予告実行抽選の結果を記憶する予告実行抽選結果記憶部１２５ａを備える。また、抽選結果記憶手段１２５は、予告表示抽選手段１２４で実行された予告表示抽選の結果を記憶する予告表示抽選結果記憶部１２５ｂを備える。
【００８９】
演出記憶手段１２６は、変動表示手段５５１で表示する複数種類の演出を記憶する変動表示記憶手段１２６ａを備える。そして、演出記憶手段１２６は、予告表示手段５５２で表示する複数種類の演出を記憶する予告表示記憶手段１２６ｂを備え、該予告表示記憶手段１２６ｂは、予告表示抽選結果記憶部１２５ｂに記憶されている抽選結果に基づいて、予告表示手段５５２での演出（図柄変動時間や変動表示図柄）を決定するための比較テーブルを記憶している。
【００９０】
また、演出記憶手段１２６は、保留表示手段５５３で表示する複数種類の図柄を記憶する保留表示記憶手段１２６ｃを備える。さらに、演出記憶手段１２６は、予告表示抽選結果記憶部１２５ｂに記憶されている抽選結果に基づいて、演出表示装置５５での演出（図柄変動時間、変動表示図柄、単独／並列表示状態）を決定するための比較テーブルを記憶している演出表示記憶手段１２６ｄを備える。
【００９１】
演出制御手段１２７は、特図表示抽選結果記憶部１２２ｂで記憶されている抽選結果と演出表示記憶手段１２６ｄの比較テーブルとに基づいて、演出表示装置５５で表示する演出を判定する演出表示判定手段１２７ａを備える。そして、演出制御手段１２７は、予告表示抽選結果記憶部１２５ｂで記憶されている抽選結果と予告表示記憶手段１２６ｂの比較テーブルとに基づいて、予告表示手段５５２で表示する演出を判定する予告表示判定手段１２７ｂを備える。
【００９２】
また、演出制御手段１２７は、保留表示手段５５３が表示する保留図柄や、変動表示手段５５１が実行している演出に基づいて、予告表示手段５５２で保留中の特図抽選の予告情報を表示するか否かを判定する予告切替判定手段１２７ｃを備える。さらに、演出制御手段１２７は、所定の条件下で、単独表示状態の演出表示装置５５を並列表示状態に切り替える演出切替手段１２７ｄを備える。
【００９３】
斯かる構成の副制御部１２０によれば、以下のような制御を実行する。まず、主制御部１１０が、特図抽選手段１１１で第１の取得値を取得し且つ特図表示抽選手段１１２で第２の取得値を取得すると、当該取得値に基づく予告情報を副制御部１２０に送信するため、副制御部１２０は、予告情報記憶手段１２１で当該予告情報を記憶する。
【００９４】
これに伴い、副制御部１２０は、保留表示手段５５３の保留図柄を一つ増加させる。それに併せて、副制御部１２０は、予告実行抽選手段１２３で予告実行抽選を実行し、その抽選結果を予告実行抽選結果記憶部１２５ａで記憶すると共に、予告情報記憶手段１２１で記憶した当該予告情報に基づいて、予告表示抽選手段１２４で予告表示抽選を実行し、その抽選結果を予告表示抽選結果記憶部１２５ｂで記憶する。
【００９５】
また、主制御部１１０が、特図抽選手段１１１で特図抽選結果を判定し且つ特図表示抽選手段１１２で特図表示抽選結果を判定すると、当該抽選結果を副制御部１２０に送信するため、副制御部１２０は、演出情報記憶手段１２２で当該抽選結果を記憶する。そして、副制御部１２０は、特図表示抽選結果記憶部１２２ｂで記憶した抽選結果と演出表示記憶手段１２６ｄの比較テーブルとに基づいて、演出表示装置５５で表示する演出を演出表示判定手段１２７ａにより判定し、判定した演出を演出表示装置５５で表示させる。
【００９６】
このとき、副制御部１２０は、演出情報記憶手段１２２で記憶した抽選結果を削除し、また、予告情報記憶手段１２１で記憶された予告情報のうち、一番過去に記憶された予告情報を削除し、さらに、予告表示抽選結果記憶部１２５ｂで記憶された抽選結果のうち、一番過去に記憶された抽選結果を削除する。これに伴って、副制御部１２０は、保留表示手段５５３の保留図柄を一つ減少させる。
【００９７】
なお、副制御部１２０は、特図抽選が当選している際には、当選したことを表示する図柄（例えば「３−３−３」や「７−７−７」）を判定し、特図抽選が落選している際には、落選したことを表示する図柄を判定するようになっている。したがって、演出表示装置５５は、特別図柄表示装置５１と同様に、変動表示手段５５１で特図抽選の結果を順番に表示していることになる。
【００９８】
また、副制御部１２０は、予告実行抽選手段１２３で実行した予告実行抽選が当選した場合には、予告切替判定手段１２７ｃで、予告情報を表示させるか否か判定する。そして、副制御部１２０は、予告情報を表示させると判定した場合には、予告表示抽選結果記憶部１２５ｂで記憶した抽選結果と予告表示記憶手段１２６ｂの比較テーブルとに基づいて、予告表示手段５５２で表示する演出を予告表示判定手段１２７ｂで判定し、判定した演出を予告表示手段５５２で表示させる。
【００９９】
このとき、予告切替判定手段１２７ｃは、遊技者に有利な予告情報があるか否かと、予告情報を既に表示した保留図柄が保留表示手段５５３にあるか否かと、変動表示手段５５１が実行する演出内容（演出時間）と、その演出の進捗状況（演出開始からの経過時間）との四つの要件に基づいて、予告表示手段５５２で予告情報を表示するか否かを判定している。
【０１００】
また、副制御部１２０は、上記のように予告実行抽選が当選した場合以外でも、特図表示抽選結果記憶部１２２ｂで記憶した抽選結果と演出表示記憶手段１２６ｄの比較テーブルとに基づいて、演出表示判定手段１２７ａで判定された演出が、予告表示手段５５２で予告情報を表示する演出となる場合もある。斯かる場合には、副制御部１２０は、予告切替判定手段１２７ｂにより、予告表示手段５５２で予告情報を表示させるか否か判定する。
【０１０１】
そして、副制御部１２０は、予告情報を表示させると判定した場合には、演出切替手段１２７ｄにより、予告表示手段５５２で予告情報を表示させる。このとき、予告切替判定手段１２７ｂは、遊技者に有利な予告情報があるか否かと、予告情報を既に表示した保留図柄が保留表示手段５５３にあるか否かとの二つの要件に基づいて、予告表示手段５５２で予告情報を表示するか否かを判定する。
【０１０２】
これにより、副制御部１２０は、特図表示抽選結果記憶部１２２ｂで記憶した抽選結果と演出表示記憶手段１２６ｄの比較テーブルとに基づいて、演出表示判定手段１２７ａが予告演出を判定した場合には、予告表示手段５５２で、保留中の特図抽選における予告情報を表示することになる。
【０１０３】
そして、特図表示抽選結果記憶部１２２ｂで記憶する抽選結果の源となる抽選は、特図表示抽選手段１１２で実行する特図表示抽選であるため、特図表示抽選手段１１２は、予告実行抽選手段１２３とは別に予告演出をするか否かの抽選を実行することになるため、「第２の予告実行抽選手段」を兼ねていることになる。
【０１０４】
本実施形態に係る遊技機のソフト構成については以上の通りであり、次に、本実施形態に係る遊技機の演出表示制御について図７〜図１２を参酌して説明する。
【０１０５】
はじめに、始動口入球処理（ステップ１０１〜１１３）について、図７及び図８を参酌して説明する。なお、図７に示すように、ステップ１０１〜１０５は、主制御部１１０で実行される処理であって、図８に示すように、ステップ１０６〜１１３は、副制御部１２０で実行される処理である。
【０１０６】
まず、図７に示すように、遊技球が始動口２２に入球すると、始動口検出部３２が遊技球を検出し、ステップ１０１に進む。そして、ステップ１０１においては、特図保留数カウンタ（以下、単に「保留数カウンタ」という）Ｎが４であるか否かを判定し、４でない場合には、ステップ１０２に進む一方、４である場合には、これ以上保留することができないため、始動口入球処理が終了する。なお、保留数カウンタＮは、特図保留数を示している。
【０１０７】
ステップ１０２においては、保留数カウンタＮが１球加算される。そして、ステップ１０３に進むと、特図抽選のために、乱数値から第１の取得値を取得して記憶し、ステップ１０４に進み、特図表示抽選のために、乱数値から第２の取得値を取得して記憶する。次に、ステップ１０５に進むと、第１の取得値に基づく特図抽選の予告情報と、第２の取得値に基づく特図表示抽選の予告情報とを、主制御部１１０から副制御部１２０に送信し、ステップ１０６に進み、主制御部１１０での処理が終了する。
【０１０８】
図８に示すように、ステップ１０６において、副制御部１２０で主制御部１１０からの予告情報を受信すると、副制御部１２０での処理が開始する。そして、ステップ１０７に進むと、予告実行抽選のために、乱数値から第３の取得値を取得して記憶し、ステップ１０８に進み、予告表示抽選のために、乱数値から第４の取得値を取得して記憶し、ステップ１０９に進む。
【０１０９】
ステップ１０９においては、演出フラグＦが「予告無」であるか否かを判定し、「予告無」である場合には、ステップ１１０に進む一方、「予告無」でない（「予告有」又は「予告実行」である）場合には、予告実行抽選を実行しないため、記憶した第３の取得値を消去し、ステップ１１３に進む。
【０１１０】
なお、演出フラグＦは、三種類存在する。具体的には、予告表示手段５５２で予告情報を既に表示した保留球がないことを示す「予告無」と、予告表示手段５５２で予告情報を既に表示した保留球があることを示す「予告有」と、予告表示手段５５２で予告情報を既に表示した保留球がない場合に、予告実行抽選に当選したことを示す「予告実行」との三種類が存在している。
【０１１１】
ステップ１１０においては、第３の取得値に基づいて、予告実行抽選の結果を判定すると共に、判定した第３の取得値を消去する。そして、ステップ１１１に進むと、予告実行抽選が当選したか否かを判定し、当選した場合には、ステップ１１２に進み、「予告無」である演出フラグＦを「予告実行」に変更し、ステップ１１３に進む一方、落選した場合には、そのままステップ１１３に進む。次に、ステップ１１３においては、第４の取得値に基づいて、予告表示抽選の結果を判定して記憶し、始動口入球処理が終了する。
【０１１２】
次に、特図保留球処理（ステップ２０１〜２１３）について、図９〜図１５を参酌して説明する。なお、図９に示すように、ステップ２０１〜２０６は、主制御部１１０で実行される処理であって、図１０〜図１３に示すように、ステップ２０７〜２１３（ステップ３０１〜３０６、ステップ４０１〜４０８及びステップ５０１〜５１１も含む）は、副制御部１２０で実行される処理である。
【０１１３】
まず、図９に示すように、ステップ２０１においては、保留数カウンタＮが０より大きいか否か、即ち、特図保留球があるか否かを判定し、保留数カウンタＮが０より大きい場合には、ステップ２０２に進む一方、保留数カウンタＮが０の場合には、再びステップ２０１に戻る。そして、ステップ２０２においては、保留数カウンタＮが１球減算される。
【０１１４】
ステップ２０３に進むと、記憶していた第１の取得値に基づいて、特図抽選の結果を判定すると共に、判定した第１の取得値を消去する。そして、ステップ２０４に進むと、記憶していた第２の取得値に基づいて、特図表示抽選の結果を判定すると共に、判定した第２の取得値を消去し、ステップ２０５に進む。
【０１１５】
ステップ２０５においては、第１の取得値に基づく特図抽選の抽選結果と、第２の取得値に基づく特図表示抽選の抽選結果とを、主制御部１１０から副制御部１２０に送信する。次に、ステップ２０６に進むと、特図表示抽選の抽選結果に基づいて、特別図柄表示装置５１で抽選結果を表す図柄を表示し、ステップ２０１に戻る。そして、主制御部１１０においては、斯かる処理が繰り返される。
【０１１６】
図１０に示すように、ステップ２０７において、主制御部１１０が送信した（ステップ２０５）抽選結果を、副制御部１２０で受信すると、副制御部１２０での処理が開始する。そして、ステップ２０８に進むと、予告済み保留数カウンタＭが０より大きいか否かを判定し、予告済み保留数カウンタＭが０より大きい場合には、ステップ２０９に進む一方、予告済み保留数カウンタＭが０である場合には、そのままステップ２１０に進む。
【０１１７】
ステップ２０９においては、予告済み保留数カウンタＭを１球減算すると共に、一番過去に記憶された予告情報と一番過去に記憶された第４の取得値を削除して、ステップ２１０に進む。なお、予告済み保留数カウンタＭは、特図抽選の予告情報を予告表示手段５５２で既に表示した保留球の数を示している。そして、ステップ２１０（詳細は後述する）に進むと、主制御部１１０から送信された特図表示抽選の抽選結果に基づいて演出を判定し、演出表示装置５５で当該演出が表示される。
【０１１８】
このとき、演出表示装置５５の演出実行（ステップ２１０）と特別図柄表示装置５１の表示実行（ステップ２０６）とは、同期しており、同じタイミングで演出（表示）を開始し、同じタイミングで演出（表示）を終了する。そして、ステップ２１１に進むと、演出フラグＦが「予告有」であるか否かを判定し、「予告有」である場合には、ステップ２１２に進む一方、「予告有」でない場合には、副制御部１２０での処理が終了する。
【０１１９】
ステップ２１２においては、予告済み保留数カウンタＭが０より大きいか否かを判定し、予告済み保留カウンタＭが０である場合には、ステップ２１３に進み、「予告有」である演出フラグＦを「予告無」に変更し、副制御部１２０での処理が終了する一方、予告済み保留カウンタＭが０より大きい場合には、そのまま副制御部１２０での処理が終了する。
【０１２０】
以下、前記のステップ２１０（演出実行：ステップ３０１〜３０６）について、図１１を参酌して、詳細に説明する。
【０１２１】
まず、ステップ２１０（演出実行）が開始すると、ステップ３０１に進み、主制御部１１０から送信された特図表示抽選の抽選結果に基づいて、演出表示装置５５の変動表示手段５５１で表示する演出、即ち、特図抽選の結果を表示する演出を判定し、ステップ３０２に進む。具体的には、主制御部１１０から送信された特図表示抽選の抽選結果に基づいて、何れの変動演出番号に該当するか判定する。
【０１２２】
なお、斯かる演出には、図１２（ａ）に示すように、特図抽選が落選したことを表示する変動演出として、変動演出番号０〜６の演出が存在しており、また、図１２（ｂ）に示すように、特図抽選が当選したことを表示する変動演出として、変動演出番号７〜１０の演出が存在している。そして、本実施形態においては、特図抽選で当選する確率が１０％となるように設定されている。
【０１２３】
また、本実施形態においては、特図抽選が落選した場合には、変動演出番号０〜２に該当する確率が５０％、変動演出番号３に該当する確率が１５％、変動演出番号４に該当する確率が２０％、変動演出番号５に該当する確率が１３％、変動演出番号６に該当する確率が２％となるように設定され、特図抽選が当選した場合には、変動演出番号７に該当する確率が１５％、変動演出番号８に該当する確率が５％、変動演出番号９に該当する確率が７０％、変動演出番号１０に該当する確率が１０％となるように設定されている。
【０１２４】
そして、変動演出番号０〜２については、主制御部１１０から送信される特図表示抽選の抽選結果には、演出を判定するタイミングでの保留数等に基づいて、何れかの演出が判定される。また、変動演出番号３及び７については、所定の条件（詳細は後述する）に基づいて、何れか一方の演出が判定される。なお、図１２の「演出時間」は、変動表示手段５５１が図柄の変動を開始してから停止して図柄を表示するまでの時間をいう。
【０１２５】
図１１に戻り、ステップ３０２に進むと、変動演出番号が３又は７であるか否かを判定し、変動演出番号が３か７である場合には、ステップ３０３に進み、予告強制実行モード（詳細は後述する）が実行されて、ステップ２１０（演出実行）が終了する一方、変動演出番号が３か７でない場合には、ステップ３０４に進む。
【０１２６】
ステップ３０４においては、変動演出番号が０又は１であるか否かを判定し、変動演出番号が０又は１でない場合（図１２の「予告切替可否」が「○」の変動演出番号２，４，５，６，８，９，１０である場合）には、ステップ３０５に進み、予告切替実行モード（詳細は後述する）が実行され、ステップ２１０（演出実行）が終了する一方、変動演出番号が０又は１である場合には、ステップ３０６に進む。
【０１２７】
ステップ３０６においては、演出表示装置５５が単独表示状態で変動演出（変動演出番号が０及び１ともに「はずれ演出」）を表示し、ステップ２１０（演出実行）が終了する。なお、ステップ３０４においては、変動表示手段５５１で実行する演出内容（演出時間）が、予告演出に切り替える時間を有している演出であるか否か、を判定している。
【０１２８】
以下、前記のステップ３０３（予告強制実行モード：ステップ４０１〜４０８）について、図１３を参酌して、詳細に説明する。
【０１２９】
まず、ステップ３０３（予告強制実行モード）が開始すると、ステップ４０１に進む。そして、ステップ４０１においては、保留数カウンタＮが０より大きいか否かを判定し、保留数カウンタＮが０より大きい場合には、ステップ４０２に進む一方、保留数カウンタＮが０の場合には、ステップ４０８に進む。
【０１３０】
ステップ４０２においては、演出フラグＦが「予告有」であるか否かを判定し、「予告有」でない場合には、ステップ４０３に進む一方、「予告有」である場合には、ステップ４０８に進む。なお、ステップ４０３においては、予告情報を既に表示した保留図柄が保留表示手段５５３にあるか否か、を判定している。
【０１３１】
ステップ４０３においては、主制御部１１０から送信された予告情報と予告表示抽選の結果とに基づいて、演出表示装置５５の予告表示手段５５２で表示する予告演出、即ち、何れの予告演出番号に該当するかを判定する。このとき、記憶されている全ての予告情報と予告表示抽選の結果とに対して、それぞれ対応する予告演出を判定し、ステップ４０４に進む。
【０１３２】
なお、斯かる予告演出には、図１４（ａ）に示すように、予告演出番号１〜５の演出が存在している。具体的には、主制御部１１０は、特図表示抽選に係る第２の取得値を取得した時点で、斯かる第２の取得値から予想した変動演出番号を予告情報として副制御部１２０に送信しているため、斯かる予告情報ごとに予告演出番号の抽選確率が設定されている。
【０１３３】
本実施形態において、例えば、変動演出番号１０に該当する予告情報に対しては、予告表示抽選により、予告演出番号１に該当する確率が５％、予告演出番号２に該当する確率が９０％、予告演出番号３に該当する確率が２％、予告演出番号４に該当する確率が２％、予告演出番号５に該当する確率が１％となるように設定されている。
【０１３４】
同様に、例えば、変動演出番号５に該当する予告情報に対しては、予告表示抽選により、予告演出番号３に該当する確率が９０％、予告演出番号４に該当する確率が５％、予告演出番号５に該当する確率が５％となるように、また、例えば、変動演出番号０〜２に該当する予告情報に対しては、予告演出番号５に該当する確率が１００％となるように、それぞれ設定されている。
【０１３５】
また、図１５（ｂ）に示すように、予告演出番号１（表示「Ｖ」）は、「大当たり確定」を示し、予告演出番号２（表示「Ｓ」）は、「ＳＰリーチ演出以上確定」（大当たり又はＳＰリーチ演出）を示し、予告演出番号３（表示「★」）は、「擬似連変動演出以上確定」（大当たり、ＳＰリーチ演出又は擬似連変動演出）を示し、予告演出番号４（表示「☆」）は、「リーチ演出以上確定」（大当たり、ＳＰリーチ演出、擬似連変動演出又はリーチ演出）を示している。
【０１３６】
そして、予告演出番号５（表示「？」）は、「はずれ演出以上確定」（大当たり、ＳＰリーチ演出、擬似連変動演出、リーチ演出又ははずれ演出の全ての演出の何れか）を示している。したがって、予告演出番号が小さいほど、遊技者にとって有利な予告情報を示すことになっている。
【０１３７】
図１３に戻り、ステップ４０４においては、判定された一つ又は複数の予告演出の内、予告演出番号１〜３の予告演出が一つでもあるか否かを判定し、予告演出番号１〜３の予告演出がある場合には、ステップ４０５に進む一方、予告演出番号１〜３の予告演出がない場合には、ステップ４０８に進む。なお、ステップ４０４においては、遊技者に有利な予告情報があるか否か、を判定している。
【０１３８】
ステップ４０５においては、演出表示装置５５が並列表示状態の演出、即ち、（変動演出番号３及び７ともに「ノーマルリーチ演出」及び「予告演出（詳細は後述する）」）を表示する。そして、ステップ４０６に進むと、「予告無」又は「予告実行」である演出フラグＦを「予告有」に変更し、ステップ４０７に進む。
【０１３９】
ステップ４０７においては、予告済み保留数カウンタＭが予告演出した保留数をカウントし、ステップ３０３（予告強制実行モード）が終了する。また、ステップ４０８においては、演出表示装置５５が単独表示状態の演出（変動演出番号３及び７ともに「ノーマルリーチ演出」）を表示し、ステップ３０３（予告強制実行モード）が終了する。
【０１４０】
以下、前記のステップ３０５（予告切替実行モード：ステップ５０１〜５１１）について、図１５を参酌して、詳細に説明する。
【０１４１】
まず、ステップ３０５（予告切替実行モード）が開始すると、ステップ５０１に進む。そして、ステップ５０１において、演出表示装置５５が単独表示状態の演出、即ち、変動演出（変動演出番号２は「はずれ演出」、変動演出番号４，８は「ノーマルリーチ演出」、変動演出番号５，９は「擬似連変動演出」、変動演出番号６，１０は「ＳＰリーチ演出」）を開始し、ステップ５０２に進む。
【０１４２】
ステップ５０２においては、保留数カウンタＮが０より大きいか否かを判定し、保留数カウンタＮが０より大きい場合には、ステップ５０３に進む一方、保留数カウンタＮが０の場合には、ステップ５１１に進む。そして、ステップ５０３においては、演出フラグＦが「予告無」であるか否かを判定し、「予告無」である場合には、ステップ５０４に進む一方、「予告無」でない場合には、ステップ５１１に進む。
【０１４３】
なお、ステップ５０３においては、予告情報を既に表示した保留図柄が保留表示手段５５３にあるか否か、を判定している。そして、ステップ５０４においては、ステップ４０３と同様に、主制御部１１０から送信された予告情報と予告表示抽選の結果とに基づいて、何れの予告演出番号に該当するかを判定し、ステップ５０５に進む。
【０１４４】
ステップ５０５においては、判定された一つ又は複数の予告演出の内、予告演出番号１〜３の予告演出が一つでもあるか否かを判定し、予告演出番号１〜３の予告演出がある場合には、ステップ５０６に進む一方、予告演出番号１〜３の予告演出がない場合には、ステップ５１１に進む。なお、ステップ５０５においては、遊技者に有利な予告情報があるか否か、を判定している。
【０１４５】
ステップ５０６においては、演出フラグＦが「予告実行」であるか否かを判定し、「予告実行」でない場合には、ステップ５０７に進む一方、「予告実行」である場合には、ステップ５０８に進む。そして、ステップ５０７においては、変動演出が開始されてから所定時間（詳細は後述する）を経過したか否かを判定し、所定時間を経過した場合には、ステップ５１１に進む一方、所定時間を経過していない場合には、ステップ５０６に戻る。
【０１４６】
なお、ステップ５０７においては、変動演出の進捗状況（演出開始からの経過時間）により、予告演出に切り替えることができるか否か、を判定している。そして、ステップ５０８においては、演出表示装置５５を単独表示状態から並列表示状態に切り替え、予告演出（詳細は後述する）が実行され、ステップ５０９に進む。
【０１４７】
ステップ５０９においては、「予告実行」である演出フラグＦを「予告有」に変更し、ステップ５１０に進み、予告済み保留数カウンタＭが予告演出した保留数をカウントし、ステップ３０５（予告切替実行モード）が終了する。また、ステップ５１１においては、変動演出（変動演出番号２は「はずれ演出」、変動演出番号４，８は「ノーマルリーチ演出」、変動演出番号５，９は「擬似連変動演出」、変動演出番号６，１０は「ＳＰリーチ演出」）が終了することで、ステップ３０５（予告切替実行モード）が終了する。
【０１４８】
次に、前記の予告演出（ステップ４０５、ステップ５０８）のタイムチャートについて、図１６〜図２２を参酌して、詳細に説明する。
【０１４９】
まず、予告演出を説明するのに先立って、変動表示手段５５１で表示する変動演出について説明する。なお、変動演出番号０の「はずれ演出（保留数が４）」と、変動演出番号１の「はずれ演出（保留数が３）」については、予告演出と関係がないため、説明を省略する。
【０１５０】
図１６（ａ）に示すように、変動演出番号２の「はずれ演出（保留数が２以下）」においては、変動演出が開始することにより、各図柄が変動し、その７．５秒後に左図柄が停止し、その２秒後に右図柄が停止し、その２秒後に中図柄が停止し、全図柄が停止している状態が０．５秒間維持されることで、１２秒間の変動演出が終了する。
【０１５１】
図１６（ｂ）に示すように、変動演出番号４，８の「ノーマルリーチ演出」においては、変動演出が開始することにより、各図柄が変動し、その７．５秒後に左図柄が停止し、その２秒後に右図柄が停止することでリーチが成立し、その４秒後が中図柄を停止し、全図柄が停止している状態が０．５秒間維持されることで、１４秒間の変動演出が終了する。
【０１５２】
図１７（ａ）に示すように、変動演出番号５，９の「擬似連変動演出」においては、演出が開始することにより、各図柄が変動し、その７．５秒後に左図柄が停止し、その２秒後に右図柄が停止することでリーチが成立し、その２秒後に中図柄が停止し、全図柄が停止している状態が０．５秒間維持された後に、各図柄が再度変動し、斯かる演出があと２回繰り返される（合計３回繰り返される）ことで、４２秒間の変動演出が終了する。
【０１５３】
図１７（ｂ）に示すように、変動演出番号６，１０の「ＳＰリーチ演出」においては、演出が開始することにより、各図柄が変動し、その７．５秒後に左図柄が停止し、その２秒後に右図柄が停止することでリーチが成立し、その４秒後にＳＰリーチに発展し、その６３秒後に中図柄が停止し、全図柄が停止している状態が０．５秒間維持されることで、７７秒間の変動演出が終了する。
【０１５４】
また、予告表示手段５５２が表示する予告演出においては、図１８に示すように、予告演出が開始することにより、導入演出が開始され、その３秒後に、各予告情報毎に画面が区画されて、図柄の変動が開始される。そして、予告演出番号３〜５（表示「★」、「☆」、「？」）は、図柄変動の開始から３秒後に図柄を停止し、予告演出番号２（表示「Ｓ」）は、図柄変動の開始から５秒後に図柄を停止し、予告演出番号１（表示「Ｖ」）は、図柄変動の開始から６秒後に図柄を停止することで、それぞれ予告演出が終了する。
【０１５５】
そして、予告強制実行モードの変動演出、即ち、変動演出番号３，７のうち、予告演出が実行されない場合には、「ノーマルリーチ演出」が実行される。具体的には、図１６（ｂ）に示すように、変動演出番号４，８の「ノーマルリーチ演出」と同様、演出が開始することにより、各図柄が変動し、その７．５秒後に左図柄が停止し、その２秒後に右図柄が停止することでリーチが成立し、その４秒後が中図柄を停止し、全図柄が停止している状態が０．５秒間維持されることで、１４秒間の変動演出が終了する。
【０１５６】
また、予告強制実行モードの変動演出、即ち、変動演出番号３，７のうち、予告演出が実行される場合、即ち、予告強制実行モードの予告演出（ステップ４０５）においては、図１９に示すように、まず、演出表示装置５５が単独表示状態であり、変動表示手段５５１で変動演出が開始され、変動表示手段５５１の各図柄が変動する。そして、その２秒後に、演出表示装置５５が並列表示状態に切り替わり、変動表示手段５５１が変動演出を継続すると共に、予告表示手段５５２で予告演出が開始される。
【０１５７】
その後、予告演出が開始してから遅くとも９秒後に、全ての予告演出が終了するため、予告演出が開始してから遅くとも９秒後に、演出表示装置５５が単独表示状態に切り替わり、予告演出が終了する。さらに、予告演出が終了してから３〜６秒後に、変動表示手段５５１の各図柄が停止することで、変動演出も終了する。なお、変動表示手段５５１においては、「ノーマルリーチ演出」が実行されている。
【０１５８】
また、予告切替実行モードの予告演出（ステップ５０８）においては、変動表示手段５５１での変動演出が終了する２秒前に、予告演出が終了するという要件（以下、「第１の切替要件」という）と、変動表示手段５５１での変動演出において、右図柄が停止するまで（リーチが成立するまで）に、予告演出が開始するという要件（以下、「第２の切替要件」という）とを満たす必要がある。そして、斯かる二つの切替要件を満たした場合に、予告演出が実行される。以下、各変動演出毎に説明する。
【０１５９】
図２０に示すように、演出時間が１２秒である変動演出番号２の「はずれ演出（保留数が２以下）」においては、第１の切替要件を満たすべく、演出時間が９秒である予告演出番号１を含む場合には、演出開始後１秒までに（図２０の「予告開始限１」参照）、予告演出を実行する旨の指示があれば、予告演出に切り替わることになる。
【０１６０】
同様に、予告演出番号１を含まず且つ演出時間が８秒である予告演出番号２を含む場合には、演出開始後２秒までに（図２０の「予告開始限２」参照）、また、予告演出番号１及び２を含まない場合（演出時間が６秒である予告演出番号３を含む場合）には、演出開始後４秒までに（図２０の「予告開始限３」参照）、それぞれ予告演出を実行する旨の指示があれば、予告演出に切り替わることになる。
【０１６１】
即ち、変動演出番号２の「はずれ演出（保留数が２以下）」においては、ステップ５０７の「所定時間」は、予告演出番号に基づいて、「１秒」、「２秒」又は「４秒」である。なお、変動演出番号２の「はずれ演出（保留数が２以下）」においては、第１の切替要件を満たせば、第２の切替要件も必然的に満たしている。
【０１６２】
図２１に示すように、演出時間が１４秒である変動演出番号４，８の「ノーマルリーチ演出」においては、第１の切替要件を満たすべく、予告演出番号１を含む場合には、演出開始後３秒までに（図２１の「予告開始限１」参照）、予告演出を実行する旨の指示があれば、予告演出に切り替わることになる。
【０１６３】
同様に、予告演出番号１を含まず且つ予告演出番号２を含む場合には、演出開始後４秒までに（図２１の「予告開始限２」参照）、また、予告演出番号１及び２を含まない場合には、演出開始後６秒までに（図２１の「予告開始限３」参照）、それぞれ予告演出を実行する旨の指示があれば、予告演出に切り替わることになる。
【０１６４】
即ち、変動演出番号４，８の「ノーマルリーチ演出」においては、ステップ５０７の「所定時間」は、予告演出番号に基づいて、「３秒」、「４秒」又は「６秒」である。なお、変動演出番号４，８の「ノーマルリーチ演出」においては、第１の切替要件を満たせば、第２の切替要件も必然的に満たしている。
【０１６５】
図２２（ａ）に示すように、演出時間が４２秒であり且つ右図柄が停止するのが演出開始後９．５秒である変動演出番号５，９の「擬似連変動演出」においては、第２の切替要件を満たすべく、演出開始後９．５秒までに（図２２（ａ）の「予告開始限」参照）、予告演出を実行する旨の指示があれば、予告演出に切り替わることになる。
【０１６６】
即ち、変動演出番号５，９の「擬似連変動演出」においては、ステップ５０７の「所定時間」は、「９．５秒」である。なお、変動演出番号５，９の「擬似連変動演出」においては、第２の切替要件を満たせば、第１の切替要件も必然的に満たしている。
【０１６７】
図２２（ｂ）に示すように、演出時間が７７秒であり且つ右図柄が停止するのが演出開始後９．５秒である変動演出番号６，１０の「ＳＰリーチ演出」においては、第２の切替要件を満たすべく、演出開始後９．５秒までに（図２２（ｂ）の「予告開始限」参照）、予告演出を実行する旨の指示があれば、予告演出に切り替わることになる。
【０１６８】
即ち、変動演出番号６，１０の「ＳＰリーチ演出」においては、ステップ５０７の「所定時間」は、「９．５秒」である。なお、変動演出番号６，１０の「ＳＰリーチ演出」においては、第２の切替要件を満たせば、第１の切替要件も必然的に満たしている。
【０１６９】
次に、前記の予告演出（ステップ４０５、ステップ５０８）における演出表示装置５５の演出表示について、図２３〜図２７を参酌して、詳細に説明する。
【０１７０】
まず、図２３（ａ）に示すように、前の変動演出が終了した状態から、図２３（ｂ）に示すように、単独表示状態の演出表示装置５５が変動表示手段５５１で図柄の変動を開始し、変動演出を開始する。このとき、保留表示手段５５３に表示されていた保留図柄が１球減り、保留図柄が３球表示されている。
【０１７１】
その後、図２３（ｃ）に示すように、演出表示装置５５が並列表示状態に切り替わり、変動表示手段５５１が表示領域を小さくして変動演出を継続していると共に、予告表示手段５５２が予告演出を開始する。このとき、予告表示手段５２２において、予告演出が開始されることを、マスコットで宣言する導入演出が実行されている。なお、演出表示装置５５が並列表示状態に切り替わる前に、遊技球が始動口２２に入球しており、保留表示手段５５３における保留図柄の表示が１球増え、保留数が４球表示されている。
【０１７２】
そして、図２４（ａ）に示すように、保留表示手段５５３に表示されていた保留図柄の全て（４球）が、演出表示装置５５の所定位置に飛び出し、その後、図２４（ｂ）に示すように、保留図柄ごとに予告表示手段５５２，…が表示され、各予告表示手段５５２で図柄の変動が開始される。
【０１７３】
このとき、演出表示装置５５は、予告表示手段５５２，…の表示領域が変動表示手段５５１の表示領域よりも大きくなるように設定されている。また、各予告表示手段５５２は、同じ大きさとなるように設定されており、全ての保留図柄（４球）を並べて表示している。そして、図２４(ｃ)に示すように、各予告表示手段５５２では、各保留が特図抽選の結果の表示に移行した際（各保留が保留球処理により消化された際）に変動表示手段５５１で表示されるべき変動演出の一部が、予告情報としてダイジェスト表示されている。
【０１７４】
具体的には、保留図柄が「Ｓ」の１番目（図２４（ｃ）における左上）の予告表示手段５５２ではＳＰリーチ演出の一部、保留図柄が「☆」の２番目（図２４（ｃ）における右上）の予告表示手段５５２ではリーチ演出の一部、保留図柄が「？」の３番目及び４番目（図２４（ｃ）における左下及び右下）の各予告表示手段５５２ではリーチ成立を伴わない外れ演出の一部がそれぞれ表示されている。
【０１７５】
これにより、遊技者は、各保留が特図抽選の結果の表示に移行した際に、変動演出がどの段階まで発展するか、即ち、各保留に対する特図抽選の当選度（大当たり期待度）を視覚的に把握できる。また、保留図柄が同じであっても、ダイジェスト表示される演出内容が異なる場合があるため、各保留に対する特図抽選の当選度（大当たり期待度）を保留図柄の表示のみで予告する遊技機に比べて、より詳細な特図抽選の当選度（大当たり期待度）の予告が可能となる。
【０１７６】
さらに、予告表示手段５５２によりダイジェスト表示する予告演出の内容は、基本的に、当該保留が特図抽選の結果の表示に移行した際に、変動表示手段５５１により表示すべき変動演出の一部となるような対応関係に設定されている一方、特図抽選の結果が当選する（大当たりとなる）保留に限り、一定の割合で当該対応関係を崩している。
【０１７７】
即ち、特図抽選の結果が当選する（大当たりとなる）保留に限り、予告表示手段５５２によりダイジェスト表示する予告演出の内容は、当該保留が特図抽選の結果の表示に移行した際に、変動表示手段５５１により実行すべき変動演出と対応していない内容の場合もある。
【０１７８】
これにより、予告表示手段５５２で表示される予告演出の内容と、当該保留が特図抽選の結果の表示に移行した際に、変動表示手段５５１で表示される変動演出の内容とに矛盾が生じた場合には、特図抽選の結果が当選する（大当たりとなる）ことが確定するといった演出展開も設定可能となる。
【０１７９】
そして、各予告表示手段５５２で演出が終了すると、図２５（ａ）に示すように、演出表示装置５５の所定位置に飛び出していた保留図柄は、保留表示手段５５３に戻る。このとき、各予告表示手段５５２が、予告演出番号の大きい番号の順、即ち、遊技者にとって有利でない予告情報の順に保留表示手段５５３に戻る（消える）ため、最後まで残る予告表示手段５５２が、遊技者にとって一番有利な予告情報を表示することになる。
【０１８０】
また、保留表示手段５５３に戻った保留図柄は、予告演出表示を示し、予告演出の前後で表示を変更している。なお、１番目の保留図柄は、「Ｓ（ＳＰリーチ演出以上確定）」、２番目の保留図柄は、「☆（リーチ演出以上確定）」、３番目及び４番目の保留図柄は、「？（はずれ演出以上確定）」となっている。
【０１８１】
その後、図２５（ｂ）に示すように、演出表示装置５５が単独表示状態に切り替わり、予告演出が終了する。そして、図柄変動を継続している変動表示手段５５１が表示領域を元の大きさに戻し、その後、図２５（ｃ）に示すように、変動表示手段５５１が図柄を停止することで、変動演出も終了する。
【０１８２】
そして、ＳＰリーチ演出以上が確定している１番目の保留図柄における特図抽選の結果の表示に移行する。即ち、図２６（ａ）に示すように、単独表示状態の演出表示装置５５が変動表示手段５５１で図柄の変動を開始し、変動演出を開始する。そして、図２６（ｂ）に示すように、予告表示した通り、変動表示手段５５１がＳＰリーチ演出の変動演出を行う。その後、図２６（ｃ）に示すように、変動表示手段５５１が図柄を停止することで、変動演出も終了する。
【０１８３】
なお、予告演出を行う際に、保留図柄が１球の場合には、図２７（ａ）に示すように、予告表示手段５２２が１つ表示され、また、予告演出を行う際に、保留図柄が２球の場合には、図２７（ｂ）に示すように、予告表示手段５２２が２つ表示され、さらに、予告演出を行う際に、保留図柄が３球の場合には、図２７（ｃ）に示すように、予告表示手段５２２が３つ表示される。
【０１８４】
次に、本実施形態に係る遊技機において、他の制御について説明する。
【０１８５】
遊技球が各一般入賞口２４に入球すると、各一般入賞口検出部３４が該入球を検出するため、該検出信号が主制御部１１０に入力される。そして、主制御部１１０が払出装置１１に払出信号を出力するため、払出装置１１が所定数の賞球（例えば１入球につき３賞球）を払い出す。
【０１８６】
また、ゲート検出部３１、始動口検出部３２、大入賞口検出部３３、各一般入賞口検出部３４が入球を検出すると、該検出信号が主制御部１１０に入力され、さらに、主制御部１１０が該検出信号を副制御部１２０に出力するため、該検出信号が副制御部１２０に入力される。そして、副制御部１２０がランプ８やスピーカ９に出力信号を出力するため、ランプ８が点灯し、スピーカ９が音声を出力する。
【０１８７】
以上より、本実施形態に係る遊技機によれば、予告表示手段５５２が、変動させた後に停止させて表示する図柄で保留中の特図抽選の予告情報を表示する。したがって、遊技者が変動して停止するまで図柄に集中することになるため、遊技者の意識を予告表示手段５５２に集中させることが可能となる。また、予告表示手段５５２が全ての保留中の特図抽選における予告情報を並べて表示する。したがって、遊技者は、保留中の全ての特図抽選における予告情報を一度に把握することができる。
【０１８８】
しかも、演出表示装置５５には、変動表示手段５５１と予告表示手段５５２とが設けられている。そして、演出表示装置５５は、変動表示手段５５１及び予告表示手段５５２のうち、変動表示手段５５１のみを表示させる単独表示状態と、変動表示手段５５１及び予告表示手段５５２を並べて表示させる並列表示状態とに切り替わる。
【０１８９】
これにより、単独表示状態において、特図抽選手段１１１で実行された特図抽選の結果が変動表示手段５５１で順番に表示される一方、並列表示状態において、特図抽選手段１１１で実行された特図抽選の結果が変動表示手段５５１で表示されると共に、保留中の特図抽選における予告情報が予告表示手段５５２で表示される。
【０１９０】
したがって、遊技者が特図抽選の結果や保留中の特図抽選における予告情報を把握するのに演出表示装置５５のみを確認していればよいため、遊技者の意識を演出表示装置５５に集中させることができる。しかも、保留中の特図抽選における予告情報を表示する際に、突然、予告表示手段５５２が表示することになるため、興趣性を効果的に向上させることができる。
【０１９１】
また、本実施形態に係る遊技機によれば、演出表示装置５５が並列表示状態である際に、予告表示手段５５２の表示領域が変動表示手段５５１の表示領域よりも大きくなる。したがって、予告表示手段５５２が保留中の特図抽選における予告情報を表示する際に、遊技者の意識を予告表示手段５５２に集中させることが可能となる。
【０１９２】
また、本実施形態に係る遊技機によれば、予告実行抽選手段１２３が、保留中の特図抽選における予告情報を予告表示手段５５２で表示するか否かを抽選するため、予告実行抽選手段１２３が実行する抽選で当選すると、予告表示手段５５２で、保留中の特図抽選における予告情報を表示することができる。
【０１９３】
また、本実施形態に係る遊技機によれば、予告実行抽選手段１１２，１２３は、一対設けられると共に、個別に、保留中の特図抽選における予告情報を予告表示手段５５２で表示するか否かを抽選するように構成されている。そして、予告実行抽選手段１２３で実行された抽選が当選したことにより、演出制御手段１２７は、変動表示手段５５１が特図表示抽選手段１１２で抽選した演出を実行している際に、保留中の特図抽選における予告情報を予告表示手段５５２で表示させる。
【０１９４】
また、演出制御手段１２７は、特図表示抽選手段１１２で実行した抽選に基づいて、保留中の特図抽選における予告情報を予告表示手段５５２で表示する演出を実行させることもある。これにより、特図表示抽選手段１１２の抽選で斯かる演出が当選することで、保留中の特図抽選における予告情報を予告表示手段５５２で表示することになるため、特図表示抽選手段１１２が第２の予告実行抽選手段を兼ねていることになる。
【０１９５】
したがって、（第１の）予告実行抽選手段１２３の抽選で当選する確率や、特図表示抽選手段（第２の予告実行抽選手段）１１２の抽選において、保留中の特図抽選における予告情報を予告表示手段５５２で表示させる演出に当選する確率を適宜設定することにより、保留中の特図抽選における予告情報を予告表示手段５５２で表示させる頻度を調整することができる。
【０１９６】
しかも、予告表示手段５５２で予告情報を表示するか否かの抽選を一対の予告実行抽選手段１１２，１２３が個別に行うため、当該抽選に当選する確率が高まり、遊技者に期待感を与えることができる。
【０１９７】
また、本実施形態に係る遊技機によれば、演出制御手段１２７は、予告切替判定手段１２７ｃにより、保留中の特図抽選における予告情報を予告表示手段５５２で表示させるか否かを判定する。そして、予告切替判定手段１２７ｃは、変動表示手段５５１が実行している演出の内容（演出時間）や、演出の進捗状況（演出開始からの経過時間、演出終了までの残り時間）に基づいて、判定する。したがって、予告表示手段５５２で予告情報を効果的に表示することができる。
【０１９８】
具体的には、予告表示手段５５２による切り替えが可能か否かの判定基準は、変動表示手段５５１による変動演出の前段部分、即ち、演出開始後に変動する三つの演出図柄のうち、二つの演出図柄の変動が停止するまでの期間に、予告表示手段５５２による予告演出を実行可能か否かという判定基準である。そして、実行可能であると判定した場合に限り、予告表示手段５５２による切り替えが可能となるように設定されている。
【０１９９】
換言すれば、変動表示手段５５１による変動演出の後段部分の実行中、即ち、遊技者の演出に対する興趣が最も高まる期間に、予告表示手段５５２による切り替えが発生することを防止するように設定されている。したがって、変動表示手段５５１による変動演出の後段部分の演出が、予告表示手段５５２による切り替えによって縮小表示されることはなく、少なくとも変動表示手段５５１による後段部分の演出については、常時フル画面表示で堪能できるようになっている。
【０２００】
また、本実施形態に係る遊技機によれば、演出表示装置５５には、保留中の特図抽選の数と同数の保留図柄を表示する保留表示手段５５３が設けられている。したがって、保留中の特図抽選の数を、遊技者に認識させることができる。
【０２０１】
そして、保留表示手段５５３が、予告表示手段５５２で特図抽選の予告情報を表示する前後で保留図柄の表示を変更するため、保留図柄が予告表示手段５５２で予告情報を表示された特図抽選であるか否かを表示する。したがって、保留中の特図抽選の数や、保留図柄が予告情報を既に表示した特図抽選であるか否かを、遊技者に認識させることができる。
【０２０２】
また、本実施形態に係る遊技機によれば、予告切替判定手段１２７ｃは、保留表示手段５５３が表示する保留図柄に基づいて、具体的には、予告情報を既に表示した保留図柄があるか否かと、遊技者に有利な予告情報があるか否かとに基づいて、予告表示手段５５２で保留中の特図抽選の予告情報を表示するか否かを判定する。したがって、予告表示手段５５２で予告情報を効果的に表示することができる。
【０２０３】
また、本実施形態に係る遊技機によれば、予告表示抽選手段１２７ｂが、予告表示手段５５２で表示させる予告情報を抽選する。したがって、変動表示手段５５１で表示される結果が同じである特図抽選であっても、予告表示手段５５２で表示する予告情報を変えることもできるため、興趣性を効果的に向上させることができる。
【０２０４】
また、本実施形態に係る遊技機によれば、各予告表示手段５５２が遊技者にとって有利でない予告情報の順に保留表示手段５５３に戻る（消える）ため、最後まで残る予告表示手段５５２が遊技者にとって一番有利な予告情報を表示することになる。したがって、遊技者が残っている予告表示手段５５２に意識を集中することになるため、興趣性を効果的に向上させることができる。
【０２０５】
なお、本発明に係る遊技機は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【０２０６】
また、上記実施形態に係る遊技機においては、演出表示装置５５が並列表示状態である際に、予告表示手段５５２の表示領域が変動表示手段（賞抽選表示手段）５５１の表示領域よりも大きくなる構成を説明したが、斯かる構成に限られない。
【０２０７】
例えば、演出表示装置５５は、並列表示状態である際に、予告表示手段５５２の表示領域が変動表示手段（賞抽選表示手段）５５１の表示領域よりも小さくなる構成でもよく、また、予告表示手段５５２の表示領域と変動表示手段（賞抽選表示手段）５５１の表示領域とが同じである構成でもよい。
【０２０８】
また、上記実施形態に係る遊技機においては、各予告表示手段５５２が同じ表示領域である構成を説明したが、斯かる構成に限られない。例えば、特図抽選の当選する可能性が高い（予告演出番号が小さい）ことに比例して、予告表示手段５５２の表示領域を設定する構成でもよい。
【０２０９】
さらに、図２８（ａ）に示すように、演出表示開始時には、各予告表示手段５５２の表示領域が同じに設定されており、時間が経過すると、図２８（ｂ）に示すように、特図抽選の当選する可能性が高い（予告演出番号が小さい）ことに比例して、予告表示手段５２２，…の表示領域が変化するように設定される構成でもよい。
【０２１０】
また、上記実施形態に係る遊技機においては、予告実行抽選手段１１２，１２３が一対設けられる構成を説明したが、斯かる構成に限られない。例えば、予告実行抽選手段は、上記実施形態に係る「予告強制実行モード」に係る予告実行抽選手段１１２だけ設けられる構成でもよく、また、上記実施形態に係る「予告切替実行モード」に係る予告実行抽選手段１２３だけ設けられる構成でもよい。
【０２１１】
また、上記実施形態に係る遊技機においては、第１の取得値で特図抽選を実行し、第２の取得値で特図表示抽選を実行し、第３の取得値で予告実行抽選を実行し、第４の取得値で予告表示抽選を実行する構成を説明したが、斯かる構成に限られない。例えば、一つの取得値に基づいて全ての抽選を実行する構成でもよく、また、一つの取得値に基づいて複数の抽選を実行する構成でもよい。
【０２１２】
また、上記実施形態に係る遊技機においては、副制御部１２０が特図表示抽選の予告情報と予告表示抽選の結果とに基づいて、予告表示が実行される構成を説明したが、斯かる構成に限られない。例えば、副制御部１２０は、特図抽選における予告情報と予告表示抽選の結果とに基づいて、予告表示を実行する構成でもよい。
【０２１３】
また、上記実施形態に係る遊技機においては、予告表示手段５５２が特図抽選の予告情報を表示する構成を説明したが、斯かる構成に限られない。例えば、予告表示手段５５２は、普図抽選の予告情報を表示する構成でもよい。要するに、予告表示手段５５２は、遊技者が有利な状態になる賞を付与するか否かを抽選の予告情報を表示する構成であればよい。
【符号の説明】
【０２１４】
１０…制御部、５５…演出表示装置、１１０…主制御部、１１１…特図抽選手段（賞抽選手段）、１１２…特図表示抽選手段（表示抽選手段、（第２の）予告実行抽選手段）、１２０…副制御部、１２１…予告情報記憶手段、１２２…演出情報記憶手段、１２３…（第１の）予告実行抽選手段、１２４…予告表示抽選手段、１２５…抽選結果記憶手段、１２６…演出記憶手段、１２７…演出制御手段、１２７ａ…演出表示判定手段、１２７ｂ…予告表示判定手段、１２７ｃ…予告切替判定手段、１２７ｄ…演出切替手段、５５１…変動表示手段（賞抽選表示手段）、５５２…予告表示手段、５５３…保留表示手段
【図１】
2013123522.tif 000003
【図２】
2013123522.tif 000004
【図３】
2013123522.tif 000005
【図４】
2013123522.tif 000006
【図５】
2013123522.tif 000007
【図６】
2013123522.tif 000008
【図７】
2013123522.tif 000009
【図８】
2013123522.tif 000010
【図９】
2013123522.tif 000011
【図１０】
2013123522.tif 000012
【図１１】
2013123522.tif 000013
【図１２】
2013123522.tif 000014
【図１３】
2013123522.tif 000015
【図１４】
2013123522.tif 000016
【図１５】
2013123522.tif 000017
【図１６】
2013123522.tif 000018
【図１７】
2013123522.tif 000019
【図１８】
2013123522.tif 000020
【図１９】
2013123522.tif 000021
【図２０】
2013123522.tif 000022
【図２１】
2013123522.tif 000023
【図２２】
2013123522.tif 000024
【図２３】
2013123522.tif 000025
【図２４】
2013123522.tif 000026
【図２５】
2013123522.tif 000027
【図２６】
2013123522.tif 000028
【図２７】
2013123522.tif 000029
【図２８】
2013123522.tif 000030